(57)【要約】      （修正有）【課題】建造物の躯体の固定に関する一連の作業において、高所からの落下を防止し、現場の安全性の向上を図ることができるラチェットレンチを提供する。【解決手段】ラチェットレンチは、２つのサイズの異なる保持対象を嵌合可能な第１の保持部２２、第２の保持部２３を備える。第１の保持部は、その対辺寸法に対して、平面の一方から立設する高さの割合が６０％〜８０％であり、第２の保持部は、その対辺寸法に対して、平面の他方から立設する高さの割合が１０％〜３０％である。また、第１の保持部の先端側の開口から、第２の保持部の開放された先端側の開口まで貫通している。第２の保持部の突出高さが抑えられているので、貫通している両開口に対して鐶状工具保持具（カラビナ等）を通すことができ、鐶状工具保持具を腰に取り付けた作業者の姿勢がどのようなものであっても、ラチェットレンチが離脱して落下するのを防止できる。【選択図】図２
0003212643.tif 000002
【実用新案登録請求の範囲】
【請求項１】
柄部と、
前記柄部の一端側に設けられ、前記柄部の長手方向にそれぞれ沿う２つの平面が設けられた基部と、
前記基部の前記平面の一方から、前記柄部の長手方向と直交するように立設し、当該立設した先端側が開放され、その内部に第１の保持対象を受入れて嵌合可能な第１の保持部と、
前記基部の前記平面の他方から、前記第１の保持部と実質的に反対方向へ立設し、当該立設した先端側が開放され、その内部に前記第１の保持対象とサイズの異なる第２の保持対象を受入れて嵌合可能な第２の保持部と、を備え、
前記第１の保持部は、その対辺寸法に対して、前記平面の一方から立設する高さの割合が６０％〜８０％であり、
前記第２の保持部は、その対辺寸法に対して、前記平面の他方から立設する高さの割合が１０％〜３０％であり、
前記第１の保持部の開放された先端側から、前記第２の保持部の開放された先端側までは貫通している
ラチェットレンチ。
【請求項２】
前記第１の保持部の対辺寸法は、前記第２の保持部の対辺寸法より短い
ことを特徴とする請求項１に記載のラチェットレンチ。
【請求項３】
前記柄部の他端側において、先端側が次第に細くなるように形成された位置合わせ治具をさらに備え、
前記第１の保持部は、１７ｍｍの保持対象を嵌合可能な対辺寸法を有し、
前記第２の保持部は、２１ｍｍの保持対象を嵌合可能な対辺寸法を有する
ことを特徴とする請求項１または２に記載のラチェットレンチ。
【考案の詳細な説明】
【技術分野】
【０００１】
本考案は、ラチェットレンチに関する。
【背景技術】
【０００２】
土木、建築、配管、塗装、その他工事の現場や造船の現場においては、複数の工具が用いられている。複数の工具としては、例えば、ラチェットレンチや、鉄骨、ALC（autoclaved lightweight concrete）等の鋼材に設けられた締結孔の位置合わせ工具、その他多くの種類の工具が挙げられる。なお以下において、当該位置合わせ用工具の代表例として「シノ」を挙げて説明することがある。「ヨセポンチ」と記載する場合がある。なお、ヨセポンチは「ボール芯」と呼ばれる場合がある。
【０００３】
ラチェットレンチは、柄と、その柄の一端に設けられた保持部（ソケット等；ラチェットレンチ機能部の一部）とを備えており、保持部によりナットや、ボルト、ねじの頭部を保持して、そのナット等を締める作業、または緩める作業を行うために用いられる。作業者は、ラチェットレンチにおけるナット保持部において、締めようとする対象のナット等を嵌合させて保持させ、柄を把持してナット保持部の周方向に沿って回転させるように柄を動かすことにより保持したナット等を回転させ締める作業または緩める作業を行うことができる。
【０００４】
このナットや、ボルト、ねじの頭部を保持する保持部は、柄の軸方向に対して直交する方向に突出し、円筒状の外周面を備える（例えば特開２０１７−０９４４１１号公報参照）。また保持部の内側の面は、例えば六角のナットを嵌合等させて保持できるように、ナット等の形状（六角形等）に対応して、ナット等を受入れ可能かつ保持可能に形成されている。
【０００５】
このようなラチェットレンチが高所作業で用いられる場合、上記の通り複数の工具が用いられるため、作業者による工具の持ち運びにおける利便性を図る必要がある。この利便性を考慮して、上記ラチェットレンチにおいてサイズ違いの保持部が２箇所設けられる場合がある。ラチェットレンチにおいて２つの保持部が設けられるものを両口ラチェットレンチと称する場合がある。両口ラチェットレンチには、柄の軸方向に対して直交する一方向に突出する第１保持部と、当該一方向と反対側の他方向に突出する第２保持部とが設けられる（上記特許公開公報／本願図１等参照）。
【０００６】
このような両口ラチェットレンチを用いることにより、サイズが異なるナット等を１本の両口ラチェットレンチにより、それぞれ締めることができる。したがって、持ち運ぶラチェットレンチの数を低減させることができるため、作業者の作業現場（高所等）までの往復移動の負担を軽減させることができる。
【考案の概要】
【考案が解決しようとする課題】
【０００７】
しかしながら、従来の両口ラチェットレンチ１Ａにおいても作業者の移動に伴う作業現場全体の安全性については考慮されていなかった。例えば、高所作業を行う作業者は、高所と地上との間の往復移動において両手を使用するため、工具については腰に装着したベルトに何らかの工具保持具を用いて保持させるのが一般的である。この点、両口ラチェットレンチ１Ａは専用のツールフックＴ（ラチェットレンチホルダ）等に保持させている（図１参照）。このツールフックＴは、いわゆる鉤の形（Ｊ字形）をしており、直線部分の下端において下方に連なる円弧状の湾曲部があり、さらにその先端は概ね上方を向いている。また図１に示すように、当該直線部分と当該先端部との間は、ラチェットレンチ１Ａの両保持部を引っ掛けられるように開放されている。また、このツールフックＴは、フック部の直線部分を固定するプレートを備えており、このプレートにはベルト通しが設けられる。作業者は腰に装着したベルトを、ツールフックＴのベルト通しに接続してツールフックＴを固定する。
【０００８】
したがって、作業者が高所と地上との間を移動する際に、作業者の姿勢によっては、ラチェットレンチがツールフックの開放部分から離脱するおそれがある。この離脱が高所で起きた場合、ラチェットレンチが高所から落下するおそれがあり、作業現場全体の安全性の確保に支障をきたすおそれがある。
【０００９】
本考案は、以上の課題に鑑みてなされたものであり、その目的は、建造物の躯体の固定に関する一連の作業において現場の安全性の向上を図るものである。
【課題を解決するための手段】
【００１０】
本考案の一形態におけるラチェットレンチは、柄部と、基部と、第１の保持部と、第２の保持部とを備える。基部は、柄部の一端側に設けられ、柄部の長手方向にそれぞれ沿う２つの平面が設けられる。第１の保持部は、基部の平面の一方から、柄部の長手方向と直交するように立設し、当該立設した先端側が開放され、その内部に保持対象を受入れて嵌合可能である。第２の保持部は、基部の平面の他方から、第１の保持部と実質的に反対方向へ立設し、立設した先端側が開放され、その内部に第１の保持対象とサイズの異なる第２の保持対象を受入れて嵌合可能である。また、第１の保持部は、その対辺寸法に対して、平面の一方から立設する高さの割合が６０％〜８０％であり、第２の保持部は、その対辺寸法に対して、平面の他方から立設する高さの割合が１０％〜３０％である。さらに第１の保持部の開放された先端側から、第２の保持部の開放された先端側までは貫通している。
このようなラチェットレンチにおいて、第１の保持部の対辺寸法を、第２の対辺寸法より短く形成してもよい。
また、柄部の他端側において、先端側が次第に細くなるように形成された位置合わせ治具を設けてもよい。また、第１の保持部が１７ｍｍの保持対象を嵌合可能な対辺寸法を有する場合、第２の保持部は、２１ｍｍの保持対象を嵌合可能な対辺寸法を有するように形成してもよい。
【考案の効果】
【００１１】
本考案の一形態におけるラチェットレンチは、両口ラチェットレンチであり、２つのサイズの異なる保持対象を嵌合可能な第１の保持部、第２の保持部を備える。さらに、第１の保持部は、その対辺寸法に対して、平面の一方から立設する高さの割合が６０％〜８０％であり、第２の保持部は、その対辺寸法に対して、平面の他方から立設する高さの割合が１０％〜３０％である。また、第１の保持部の先端側の開口から、前記第２の保持部の開放された先端側の開口までは貫通している。このような構成によれば、第２の保持部の突出高さが抑えられているので、貫通している両開口に対して鐶状工具保持具（カラビナ等）を通すことができる。
【００１２】
カラビナ等のような鐶状工具保持具が閉じているときは、鐶状工具保持具を腰に取り付けた作業者の姿勢がどのようなものであっても、その保持対象（本考案のラチェットレンチ等）が離脱することを防止することができる。
【００１３】
したがって、工具保持具に対する本考案のラチェットレンチの離脱が防止されることにより、ラチェットレンチが高所から落下する可能性はほとんどなく、作業現場全体の安全性を向上させることが可能である。
【００１４】
また、保持部の双方の高さを低減させるのではなく、一方の保持部、すなわち第１の保持部の平面の一方から立設する高さの割合は、対辺寸法に対して６０％〜８０％である。このような構成によれば、使用頻度の高い対辺寸法の保持部については、立設高さを確保して、ナット等を締める作業あるいは緩める作業の作業効率の低下を防止することが可能である。第１の保持部の対辺寸法を、第２の対辺寸法より短くすることはこの一例である。
【００１５】
さらなる具体例としては、第２の保持部を足場の固定用と考えて２１ｍｍの保持対象を嵌合可能な対辺寸法とし、第１の保持部を鉄骨、ALC等の鋼材の固定に用いるボルトの固定用と考えて１７ｍｍの保持対象を嵌合可能な対辺寸法とする。この例によれば、立設高さを確保して鋼材の固定用のボルトにおけるナット等への第１の保持部のかかり具合を確保しつつ、それよりは使用頻度の低い第２の保持部の立設高さを抑制して、安全性と作業効率とのバランスを図っている。
【００１６】
以上のように、本考案はラチェットレンチの持ち運び時の安全性の確保という重要な一面と、それによる作業効率の低下の抑制という他の一面の双方を実現する従来にない構成を有するものである。
【図面の簡単な説明】
【００１７】
【図１】従来の両口ラチェットレンチの保持状態の概要を示す斜視図。
【図２】実施形態のラチェットレンチの概要を示す斜視図。
【図３】実施形態のラチェットレンチの概要を示す正面図。
【図４】実施形態のラチェットレンチの概要を示す背面図。
【図５】実施形態のラチェットレンチの概要を示す平面図。
【図６】実施形態のラチェットレンチの概要を示す底面図。
【図７】実施形態のラチェットレンチの概要を示す右側面図。
【図８】実施形態のラチェットレンチの概要を示す左側面図。
【図９】実施形態のラチェットレンチの保持状態の概要を示す参考図。
【図１０】実施形態のラチェットレンチの保持状態の概要を示す参考図。
【図１１】実施形態のラチェットレンチの保持状態の概要を示す参考図。
【考案を実施するための形態】
【００１８】
図２〜図１１を参照して、実施形態における建造物の躯体の連結等に用いられるシノ付きラチェットレンチ１について説明する。この図１におけるシノ付きラチェットレンチは本考案の一形態である。なお、図面の説明において記載した正面、背面、左側面、右側面、平面および底面は、説明の便宜として定義されたものであり、シノ付きラチェットレンチ１の使用状況を制限するものではない。
【００１９】
図２〜図８に示すように、シノ付きラチェットレンチ１は、柄部１０と、ラチェットレンチ２０と、シノ３０とを有する。なお、以下の説明において、「平行」、「直交」、「反対」という記載がある場合、それらは、実質的に「平行」、「直交」、「反対」である場合を含む。また寸法や割合等は製造上生じる許容差を考慮したものとする。また、以下において、ナット、ボルト、ネジの頭部について、代表して「ナット等」と記載することがある。
【００２０】
＜柄部１０＞
図２の例において柄部１０は、例えば断面が八角形等、多角形になるような形状または平型に形成される。図２〜図８の各図の例においてこの柄部１０は、後述のシノ３０の最大径より薄く（または細く）形成される。なお、この形状に限られず、例えば概ね同じ径となるように形成された円柱状であってもよい。また柄部１０をその断面がＨ型となるような、幅方向の両端を厚肉とするとともに、当該両端の間が薄肉となるように構成されていてもよい。
【００２１】
＜ラチェットレンチ２０＞
ラチェットレンチ２０は、柄部１０の長手方向の一端側に設けられる。図２の例においてラチェットレンチ２０は、基部２１、第１の保持部（第１ソケット）２２、第２の保持部２３（第２ソケット）を含んで構成される。図２の例においてラチェットレンチ２０の基部２１は、所定の厚さを有する板状に形成される。
【００２２】
基部２１は柄部１０が円柱状でなく、平型や断面がＨ型である場合に、その柄部１０の互いに平行な面とそれぞれ連続し、柄部１０の長手方向にそれぞれ沿う２つの平面が設けられた基部２１を有する。基部２１の厚さまたは幅は、柄部１０の厚さと実質的に同じか、または厚く形成される（図５，図６参照）。
【００２３】
基部２１は内部が中空状であり、そこにはギア（不図示）が設けられる。ギアは後述の第１の保持部２２、第２の保持部２３各々のソケット部分と連携して一方向（各ソケット部分の周方向）に回転するときはソケットと連動し、反対方向へ回転するときはソケットを空回りさせることが可能である。この回転についてはスイッチにより、回転方向に応じたその機能を逆にすることが可能である。
【００２４】
（第１の保持部）
図５および図６に示すように基部２１の平面の一方には、柄部１０の長手方向と直交するように立設する第１の保持部２２が設けられる。第１の保持部２２は、外形が円筒状であり、当該立設した先端側の面が開口しており、その内部は中空状である。当該第１の保持部２２の内部には、トルシア型高力ボルトのナット等、例えば断面が六角形である第１の保持対象を受入れ可能なサイズを有する。すなわち、当該開口は、また、六角形である第１の保持対象を嵌合可能なように、第１の保持対象の形状およびサイズに対応して形成される。さらに第１の保持部２２の中空部は、開口の形状とサイズを維持したまま、基部２１の一方の平面側へ伸びる複数の側面と、それら側面と直交する底面によって構成される。例えば第１の保持部２２の対辺寸法は、１７ｍｍである。なお、対辺寸法とは、通常六角のナット等の六角二面幅寸法をいう。
【００２５】
第１の保持部２２の対辺寸法に対し、第１の保持部２２が基部２１の平面の一方から立設する高さの割合は、およそ６０％〜８０％程度となる。なお、「立設する高さ」とは、当該一方の平面から第１の保持部２２の突出端（立設方向の先端）までの距離に相当する。第１の保持部２２の対辺寸法が１７ｍｍである場合、立設高さはおよそ１０．２ｍｍ〜１３．６ｍｍとなる
【００２６】
（第２の保持部）
基部２１の平面の他方には、柄部１０の長手方向と直交し、かつ第１の保持部２２の立設方向と直交するように立設する第２の保持部２３が設けられる（図５，図６参照）。第２の保持部２３における、外形、開口、および内部形状は、第１の保持部２２と相似である（但し、外形については相似に限られない。特に、中空部の内側面と外周面の間の厚さは任意である。）。第２の保持部２３の開口は、断面が六角形となる第２の保持対象（ナット等）を嵌合可能なように、第２の保持対象の形状およびサイズに対応して形成され、例えば第２の保持部２３の対辺寸法は、２１ｍｍである。なお、対辺寸法とは、通常六角のナット等の対辺とは、六角二面幅寸法を示す。
【００２７】
第２の保持部２３の対辺寸法に対し、第２の保持部２３が基部２１の平面の一方から立設する高さの割合は、およそ１０％〜３０％程度となる。第２の保持部２３の対辺寸法が２１ｍｍである場合、立設高さはおよそ２．１ｍｍ〜６．３ｍｍとなる
【００２８】
第１の保持部２２の開口から第２の保持部２３の開口までは連通している（図２参照）。すなわち基部２１を挟んでこれらの間が貫通されている。
【００２９】
＜シノ３０（鋼材締結孔の位置合わせピン）＞
シノ３０は、柄部１０の長手方向の他端側に設けられる。シノ３０は、例えば建造物（建築、橋梁工事、造船等）の躯体同士における貫通孔の位置合わせを行うためのピンである。図２の例においてシノ３０は、先端に向かって次第に径が小さくなるような錐状（円錐形状、あるいは紡錘形状をその軸方向において半分に切った形状等）に形成される。またシノ３０は、先端にいくにつれ、その芯線が折れ曲がるように形成される（図３，図４参照）。またシノ３０の先端は安全性を考慮して曲面状に形成される。ただし、シノ３０を別の位置合わせ治具に変更して構成することも可能である。例えばシノの替わりに、芯線が先端まで直線状の治具（ヨセポンチ）であってもよい。
【００３０】
（変形例）
シノ３０は、図１の例に限らず、バールやのような位置合わせ機能を有していてもよい。あるいは、これらの少なくともいずれかは釘抜き等であってもよい。
【００３１】
（シノ付きラチェットレンチ１の使用方法）
次に、シノ付きラチェットレンチ１の使用方法について、概要を説明する。
作業者は、例えば自らの腰部に巻回させたベルト等に固定した鐶状工具保持具（カラビナ等）の開閉部分を開状態にする。この状態で作業者は、ラチェットレンチ２０の貫通孔（第１の保持部２２の開口から第２の保持部２３の開口まで）に対して、鐶状工具保持具の開閉部分を通す（図９参照）。
【００３２】
さらに作業者は、鐶状工具保持具の開閉部分を閉状態として、シノ付きラチェットレンチ１の保持状態を固定状態とする（図１０，図１１参照）。これにより、作業者の姿勢にかかわらず、保持状態が意図せずに解除されることを防ぎ、ひいては建造物の躯体の固定に関する一連の作業において現場の安全性の向上を図ることが可能となる。
【符号の説明】
【００３３】
１        シノ付きラチェットレンチ
１０      柄部
２０      ラチェットレンチ
２１      基部
２２      第１の保持部
２３      第２の保持部
３０      シノ
【図１】
0003212643.tif 000003
【図２】
0003212643.tif 000004
【図３】
0003212643.tif 000005
【図４】
0003212643.tif 000006
【図５】
0003212643.tif 000007
【図６】
0003212643.tif 000008
【図７】
0003212643.tif 000009
【図８】
0003212643.tif 000010
【図９】
0003212643.tif 000011
【図１０】
0003212643.tif 000012
【図１１】
0003212643.tif 000013